(57)【要約】【課題】ノートページの証拠性を有しつつもユーザの作業性や集中力を妨げず、デザイン上の美観を損なうことなくマイノートページを生成できる孔版印刷システムを提供する。【解決手段】この孔版印刷システム１は、孔版印刷ユニット１００内にインクジェットユニット１５０を備えたハイブリッド型構成であり、ユニット１００、１５０で構築されるマイノート生成手段（ユニット１５０の制御機能の他、ユニット１００内の序列ＩＤ鑑定手段８、序列ＩＤ不可読変換手段５、及び序列ＩＤ生成手段４を備えた制御手段９、タッチパネル１１５のマイノート生成機能指定手段２、共通描画要素印刷手段３、並びに序列ＩＤ印刷手段６の処理機能が協働して構築される）は、生成する一連のマイノートページの序列を一意に決定できる序列ＩＤの生成画像としての形成形態である序列ＩＤマーカを、序列ＩＤのコードに対応する点と線とから成るモールス符号化形態とする。【選択図】図１
2015174308.tif 000002
【特許請求の範囲】
【請求項１】
デジタル孔版印刷方式画像形成ユニットとインクジェット方式画像形成ユニットとを備えて構成されると共に、当該デジタル孔版印刷方式画像形成ユニット及び当該インクジェット方式画像形成ユニットでマイノート生成手段が構築されるハイブリッド型の孔版印刷システムにおいて、
前記マイノート生成手段は、生成する一連のマイノートページの序列を一意に決定できる序列識別子の生成画像としての形成形態である序列識別子マーカを、当該序列識別子のコードに対応する点と線とから成るモールス符号化形態とすることを特徴とする孔版印刷システム。
【請求項２】
請求項１記載の孔版印刷システムにおいて、前記序列識別子マーカは、前記序列識別子のコードにそのまま直接対応するモールス符号に変換されたものであることを特徴とする孔版印刷システム。
【請求項３】
請求項１又は２記載の孔版印刷システムにおいて、前記マイノート生成手段は、前記序列識別子マーカについて、前記序列識別子のコードにそのまま直接対応するモールス符号の存在しない場合、必要に応じて当該序列識別子のコードと当該モールス符号とを対比させて変換できるように、別の中間コードに変換する仕組みを経て最終的にモールス符号化形態とすることを特徴とする孔版印刷システム。
【請求項４】
請求項１〜３の何れか１項記載の孔版印刷システムにおいて、前記序列識別子マーカは、縦又は横の罫線か、或いは外枠線に形成されたことを特徴とする孔版印刷システム。
【請求項５】
請求項４記載の孔版印刷システムにおいて、前記序列識別子マーカの前記外枠線への形成箇所については、前記マイノートページの綴じ代側の縦の外枠部分にのみ形成されることを特徴とする孔版印刷システム。
【請求項６】
請求項４又は５項記載の孔版印刷システムにおいて、前記マイノート生成手段は、マイノート生成者個人についての認証情報、マイノート生成を行った画像形成装置の装置情報、画像形成に使用したインキ組成分又は組成を示す符号情報を補助識別子として前記序列識別子と共に付与する場合、前記縦又は横の罫線、或いは前記外枠線の何れかにおける前記序列識別子マーカとは異なる部分に形成されることを特徴とする孔版印刷システム。
【請求項７】
請求項４〜６の何れか１項記載の孔版印刷システムにおいて、前記マイノートページを複写する際、前記序列識別子マーカについて、前記罫線の当該序列識別子マーカを含む罫線／外枠線が除去される罫線除去モードに対応した画像形成が行われることを特徴とする孔版印刷システム。
【請求項８】
請求項６又は７項記載の孔版印刷システムにおいて、前記マイノートページを複写する際、前記序列識別子マーカについて、前記罫線の前記序列識別子又は前記補助識別子を含む罫線／外枠線に対して特定のダミーコードにリプレースするか、実線の罫線／外枠線でリプレースするか、或いは当該罫線の部分を抹消するかの何れかによる画像形成が行われることを特徴とする孔版印刷システム。
【請求項９】
デジタル孔版印刷方式画像形成ユニットとインクジェット方式の画像形成ユニットとを備えて構成されるハイブリッド型の孔版印刷システム用マイノート生成方法において、
前記デジタル孔版印刷方式画像形成ユニット及び前記インクジェット方式画像形成ユニットで構築されるマイノート生成手段により、生成する一連のマイノートページの序列を一意に決定できる序列識別子の生成画像としての形成形態である序列識別子マーカを、当該序列識別子のコードに対応する点と線とから成るモールス符号化形態とする序列識別子マーカモールス符号化処理ステップを有することを特徴とする孔版印刷システム用マイノート生成方法。
【発明の詳細な説明】
【技術分野】
【０００１】
本発明は、印刷システムを成す画像形成システムや、電子写真方式、インクジェット方式等の作像エンジンを採用した複写機（ＰＰＣ）、複合機能プリンタ（ＭＦＰ）等の画像形成装置に適用されるデジタル孔版印刷方式画像形成ユニットとインクジェット方式画像形成ユニットとから構成されるマイノート生成機能を持つハイブリッド型の孔版印刷システムに関する。
【背景技術】
【０００２】
従来、ユーザが自身で使用するノートページを生成できるか、或いはノートページの形態をテンプレート等を使って自由にコーディネートできるマイノート生成機能を持った画像形成装置が知られている。
【０００３】
一方、公文書や私文書については当然な場合が多いが、個人的なノートやメモ帳の類についても証拠性（原本性）を必要とされるものがあり、例えばクリエイター用や研究者・開発者用に供されるものが挙げられる。こうした用途に供されるノート類は、創作活動や研究・開発活動のプロセスにおいて、デザインやアイディア、実験データ等の中間成果物がいつ、どの様な過程を経て得られたのかが改竄されることなく記録されていることが必要とされる。
【０００４】
このような証拠性（原本性）を確保しつつも自由にノートページの生成を行うことができるマイノート生成機能に対応した仕組みを持つ画像形成装置も開発されており、例えば背綴じ処理やコバ面印刷等を行うことなく、枚葉タイプのノート類においても、証拠性を有する「画像形成システム」（特許文献１参照）が挙げられる。
【発明の概要】
【発明が解決しようとする課題】
【０００５】
上述した特許文献１に係る技術は、証拠性の拠りどころとして、序列識別子（以下、ＩＤとする）を生成し、生成した序列ＩＤをページ毎か、或いは枚葉毎に１次元コード(バーコード)、２次元コード、不可視インキ、無線タグ（ＲＦＩＤタグ）等の形態で付与するものであるが、ここでのマイノートページの序列を一意に決定できる序列ＩＤの生成画像としての形成形態である序列ＩＤマーカについてはユーザの作業性を妨げたり、創造物のデザイン性や見た目を損なうものとなっているという問題がある。
【０００６】
例えば序列ＩＤを二次元バーコード（ＱＲコード(登録商標)）の形態によって付与した場合、ページ毎や枚葉毎にＯＲコードが存在することになるため、ノート使用時にはユーザの集中力や思考の妨げとなったり、ノートの複製（コピー）時には序列ＩＤマーカがより強調されて印刷されてしまうことがあり、結果として、デザイン等のユーザの創造物（成果物）の価値を低下させてしまうことがある。
【０００７】
特許文献１では、こうした序列ＩＤの付与に際し、黄インキや淡黄インキを使用して序列ＩＤマーカをより目立たないようにする旨の記述があるものの、その目的はあくまで序列ＩＤの付与の秘匿性を目指したものであり、作業性やデザイン性への影響を考慮したものではないと言える。
【０００８】
本発明は、このような問題点を解決すべくなされたもので、その技術的課題は、ノートページの証拠性を有しつつもユーザの作業性や集中力を妨げず、デザイン上の美観を損なうことなくマイノートページを生成できる孔版印刷システム及び孔版印刷システム用マイノート生成方法を提供することにある。
【課題を解決するための手段】
【０００９】
上記技術的課題を解決するため、本発明の孔版印刷システムは、デジタル孔版印刷方式画像形成ユニットとインクジェット方式画像形成ユニットとを備えて構成されると共に、当該デジタル孔版印刷方式画像形成ユニット及び当該インクジェット方式画像形成ユニットでマイノート生成手段が構築されるハイブリッド型の孔版印刷システムにおいて、マイノート生成手段は、生成する一連のマイノートページの序列を一意に決定できる序列ＩＤの生成画像としての形成形態である序列ＩＤマーカを、当該序列ＩＤのコードに対応する点と線とから成るモールス符号化形態とすることを特徴とする。
【００１０】
また、上記技術的課題を解決するため、本発明の孔版印刷システム用マイノート生成方法は、デジタル孔版印刷方式画像形成ユニットとインクジェット方式画像形成ユニットとを備えて構成されるハイブリッド型の孔版印刷システム用マイノート生成方法において、デジタル孔版印刷方式画像形成ユニット及びインクジェット方式画像形成ユニットで構築されるマイノート生成手段により、生成する一連のマイノートページの序列を一意に決定できる序列ＩＤの生成画像としての形成形態である序列ＩＤマーカを、当該序列ＩＤのコードに対応する点と線とから成るモールス符号化形態とする序列ＩＤマーカモールス符号化処理ステップを有することを特徴とする。
【発明の効果】
【００１１】
本発明によれば、デジタル孔版印刷方式画像形成ユニット及びインクジェット方式画像形成ユニットで構築されるマイノート生成手段によって、序列ＩＤの生成画像としての形成形態である序列ＩＤマーカを序列ＩＤのコードに対応する点（ドット）と線（ダッシュ）とから成る所謂モールス符号化形態としているので、ノートページの証拠性（原本性）を有しつつもユーザの作業性や集中力を妨げず、デザイン上の美観を損なうことなくマイノートページを生成できるようになる。
【図面の簡単な説明】
【００１２】
【図１】本発明の実施例１に係る孔版印刷システムの基本構成を一部データ処理の流れを含めて示したブロック図である。
【図２】図１に示す孔版印刷システムに備えられるデジタル孔版印刷方式画像形成ユニットの概略構成を示した図であり、（ａ）は装置本体の基本構成に関する図、（ｂ）は（ａ）に示される操作パネルについての平面図である。
【図３】図２に示すデジタル孔版印刷方式画像形成ユニットに備えられる制御部のハードウェア構成の概略として電装基板構成を例示した図である。
【図４】図２（ｂ）のタッチパネルに表示される装置動作時のメニュー画面の第１の形態を例示した図である。
【図５】図２（ｂ）のタッチパネルに表示される装置動作時のメニュー画面の第２の形態を例示した図である。
【図６】図２（ｂ）のタッチパネルに表示される装置動作時のメニュー画面の第３の形態を例示した図である。
【図７】図２（ｂ）のタッチパネルに表示される装置動作時のメニュー画面の第４の形態を例示した図である。
【図８】図１に示す孔版印刷システムに備えられるデジタル孔版印刷方式画像形成ユニットで扱うＰＮ符号を説明するための図である。
【図９】図１に示す孔版印刷システムのマイノート生成機能による序列ＩＤマーカモールス符号化処理を説明するための図であり、（ａ）は最終的な印刷成果物を例示した概略図、（ｂ）は序列ＩＤから中間コードに変換した後にモールス符号に変換する流れを示した模式図である。
【図１０】図１に示す孔版印刷システムに備えられるデジタル孔版印刷方式画像形成ユニットの動作時に外装型の電子ペーパに表示される処理イメージの表示例を示した図である。
【図１１】図１に示す孔版印刷システムの動作処理を示したフローチャートである。
【図１２】本発明の実施例２に係る孔版印刷システムのマイノート生成機能による序列ＩＤマーカモールス符号化処理を説明するための図であり、（ａ）は最終的な印刷成果物を例示した概略図、（ｂ）は序列ＩＤから直接モールス符号に変換する流れを示した模式図である。
【図１３】本発明の実施例３に係る孔版印刷システムのマイノート生成機能による序列ＩＤマーカモールス符号化処理を説明するための図であり、（ａ）は最終的な印刷成果物を例示した概略図、（ｂ）は補助ＩＤからモールス符号に変換する流れを示す模式図である。
【図１４】本発明の実施例４に係る孔版印刷システムの基本構成を一部データ処理の流れを含めて示したブロック図である。
【図１５】図１４に示す孔版印刷システムに備えられるデジタル孔版印刷方式画像形成ユニットの動作時に外装型の電子ペーパに表示される処理イメージの表示例を示した図である。
【図１６】図１４に示す孔版印刷システムのマイノート生成機能による序列ＩＤマーカモールス符号化処理に対する付加処理を説明するための図であり、（ａ）は罫線消去モードに対応させたマイノートページに描画されたデザインを例示した概略図、（ｂ）は（ａ）のマイノートページを罫線消去モードで複製させたときの結果を例示した概略図である。
【図１７】本発明の実施例５に係る孔版印刷システムに備えられるデジタル孔版印刷方式画像形成ユニットの動作時にタッチパネルに表示されるメニュー画面を例示した図である。
【図１８】図１７で説明したデジタル孔版印刷方式画像形成ユニットの印刷ドラムに形成される潜像を例示した図である。
【図１９】本発明の実施例６に係る孔版印刷システムのマイノート生成機能における序列ＩＤマーカモールス符号化処理による最終的な印刷成果物を例示した概略図である。
【発明を実施するための形態】
【００１３】
以下に、本発明の孔版印刷システム及び孔版印刷システム用マイノート生成方法について、幾つかの実施例を挙げ、図面を参照して詳細に説明する。
【実施例１】
【００１４】
図１は、本発明の実施例１に係る孔版印刷システム１の基本構成を一部データ処理の流れを含めて示したブロック図である。
【００１５】
図１を参照すれば、この孔版印刷システム１は、デジタル孔版印刷方式画像形成ユニット（以下、孔版印刷ユニットと略記する）１００内に後述するインクジェット方式画像形成ユニット（以下、インクジェットユニットと略記する）１５０を備えた所謂ハイブリッド型として構成される。孔版印刷ユニット１００内には、序列ＩＤ鑑定手段８、序列ＩＤ不可読変換手段５、及び序列ＩＤ生成手段４を備えた制御手段９（後述する制御部２０に該当する）が具備される他、制御手段９との間でデータ授受が可能なマイノート生成機能指定手段２を備えたタッチパネル１１５、共通描画要素印刷手段３（後述する印刷ドラム１０１に該当する）、及び序列ＩＤ印刷手段６（後述するインクジェットユニット１５０に該当する）が具備されている。
【００１６】
このうち、タッチパネル１１５内に構築されるマイノート生成機能指定手段２は、孔版印刷ユニット１００に備えられるシステム上のマイノート生成手段であって、ユーザが自身で使用するノートページを生成でき、またノートページの形態をテンプレート等を使用して自由にコーディネートできるマイノート生成機能を有効にするか否かの設定や、マイノート生成機能を実行する場合に係る機能を実行するために必要なパラメータ、指示等の設定を行うものである。共通描画要素印刷手段３は、マイノート生成に際して生成される一連のノートページにおいて、ノートページ毎のレイアウト、配色、背景等の共通描画要素を印刷するものである。
【００１７】
制御手段９内の序列ＩＤ生成手段４は、マイノート生成機能の差替え防止オプションを有効にした時、一連のノートページの序列を一意に決定できる序列ＩＤを生成するものである。また、制御手段９内の序列ＩＤ不可読変換手段５は、生成された序列ＩＤを序列ＩＤがノートページに付与された際に、人間が直接理解できない不可読な形態に変換するものである。インクジェットユニット１５０内の序列ＩＤ印刷手段６は、マイノート生成機能の差替え防止オプションを有効にした時、ノートページへの不可読変換された序列ＩＤを、序列ＩＤマーカとしてバリアブル印刷によって行うものである。更に、制御手段９内の序列ＩＤ鑑定手段８は、マイノート生成機能の序列ＩＤ鑑定オプションを有効にした時、差替え鑑定対象のノートページ、或いは必要に応じてその前後のノートページから抽出した序列ＩＤを解析することによってノートページが改竄、特に差替えされたものであるか否かの判定を行うものである。
【００１８】
制御手段９は、マイノート生成機能指定手段２において、マイノート生成機能を実行する旨の設定がなされた時、マイノート生成機能指定手段２において指定された事項に従い、ノートページのレイアウト、配色、背景等の共通描画要素を生成又は選択し、更に差替え防止オプションが指定されていた場合、序列ＩＤ生成手段４により一連のノートページの序列を一意に決定できる序列ＩＤを生成し、序列ＩＤ不可読変換手段５により生成した序列ＩＤを人間が直接理解できない不可読な形態に変換し、共通描画要素印刷手段３により上記共通描画要素を印刷し、序列ＩＤ印刷手段６によりバリアブル印刷で序列ＩＤマーカを形成し、所定の一連のマイノートページを生成する制御を行う。
【００１９】
この他、制御手段９は、序列ＩＤ鑑定オプションが指定されていた場合、読取りスキャナにより差替え鑑定対象のノートページ、或いは必要に応じてその前後のノートページに付与された序列ＩＤマーカを読取り、序列ＩＤ鑑定手段８により上記ノートページから抽出した序列ＩＤを解析することによって、ノートページが改竄、特に差替えされたものであるか否かの判定を行えるように制御する。
【００２０】
因みに、慣習として、画像形成に用いる色材を孔版印刷方式に代表される印刷装置等では「インキ」、インクジェット方式の画像機器等では「インク」、という具合にそれぞれ異なる名前で呼称されることが多いが、ここでは別々の呼称を用いる特別な理由はないため、画像形成に供されるユニットが孔版印刷ユニット１００であれ、インクジェットユニット１５０であれ、統一して「インキ」と呼ぶものとする。
【００２１】
図２は、実施例１の孔版印刷システム１に備えられる孔版印刷ユニット１００の概略構成を示した図であり、同図（ａ）は装置本体の基本構成に関する図、同図（ｂ）は同図（ａ）に示される操作パネル１１１についての平面図である。
【００２２】
図２（ａ）及び図２（ｂ）を参照すれば、孔版印刷ユニット（孔版印刷装置と呼ばれても良い）１００は、装置本体の内部に、内部にインキパック１２０が設置されると共に、マスタ１０７が外周面に巻着される印刷ドラム１０１と、印圧手段となるプレスローラ１０２と、マスタロール（感熱孔版フィルム）１１９を備えた製版装置となるプロッタ１０３と、排版手段１０４とを備え、装置本体の右側に配置された給紙手段１０５から給紙される記録紙１０６をプレスローラ１０２で印刷ドラム１０１に押し当てることで、巻着されたマスタ１０７の画像を記録紙１０６に転写し、片面印刷の場合、画像転写された記録紙１０６を搬送手段１０８で装置本体の左側に配置された排紙手段１０９へと搬送し、両面印刷の場合、片面の印刷が終了した記録紙を、切替え部材１２１により再給紙手段１２２に導き、再び給紙させることにより裏面に印刷を行うような周知の構成を有している。
【００２３】
また、孔版方式による画像形成経路中（用紙搬送経路中）にはインクジェットユニット１５０が配置され、装置本体の上部にはカラー方式のスキャナ（画像読取り部）１１０が配置され、ここで原稿画像を読み取り、製版に用いる画像データを取得する。
【００２４】
装置本体の上部正面には、孔版印刷ユニット１００の操作部となる操作パネル１１１が配設されている。操作パネル１１１には、印刷や製版の切り替えキー１１３、スタートキー１１４、表示部となるタッチパネル１１５、初期設定／プリンタ設定キー１１６、印刷位置調整キー１１７、プリントスピード設定キー１１８等が配備されている。タッチパネル１１５の表示部は、ＬＣＤのタッチ仕様で構成されており、その画面には各種案内情報や各種操作画面が適宜表示され、操作画面がユーザや装置操作者によって操作されると、各画面に表示されたスイッチに対応した内容が装置本体内の各部を制御する制御部２０や孔版印刷ユニット１００に設定される。
【００２５】
図３は、孔版印刷ユニット１００に備えられる制御部２０のハードウェア構成の概略として電装基板構成を例示した図である。
【００２６】
図３を参照すれば、制御部２０は、実装基板となるＡＣＵ２００(Ａｐｐｌｉｃａｔｉｏｎ  Ｃｏｎｔｒｏｌ  Ｕｎｉｔ)とＥＣＵ３００(Ｅｎｇｉｎｅ  Ｃｏｎｔｒｏl  Ｕｎｉｔ)との二つに大きく分かれている。
【００２７】
ＡＣＵ２００は、ＡＳＩＣ（Ａｐｐｌｉｃａｔｉｏｎ  Ｓｐｅｃｉｆｉｃ  ｌｎｔｅｇｒａｔｅｄ  Ｃｉｒｃｕｉｔ）２２０に対して、孔版印刷装置の操作パネル１１１が接続される操作パネルインターフェース（Ｉ／Ｆ）２０５、携帯型大容量記憶メディアであるＳＤカード２０１が接続されるＳＤインターフェース（Ｉ／Ｆ）２０６、ＵＳＢメモリ２０３が接続されるＵＳＢインターフェース（Ｉ／Ｆ）２０９Ｂ、及び他のＵＳＢメモリ接続予備用のＵＳＢインターフェース（Ｉ／Ｆ）２０９Ａがそれぞれ接続されている。
【００２８】
また、ＡＣＵ２００では、ＡＳＩＣ２２０に対して、大容量記憶装置となるハードディスクドライブＨＤＤ２０７が接続されるＨＤＤインターフェース（Ｉ／Ｆ）２０８、パソコン等の情報端末に対してＬＡＮやインターネット等のネットワークを介してアクセスするため、ネットワークインターフェースカード（ＮＩＣ）２０２を接続するためのＮＩＣインターフェース（Ｉ／Ｆ）２１２や無縁ＬＡＮカード２１３を接続するための無線ＬＡＮインターフェース（Ｉ／Ｆ）２１４がそれぞれ接続されている。
【００２９】
更に、ＡＣＵ２００では、ＡＳＩＣ２２０に対して、無給電画像表示装置である電子ペーパ４００を接続するためのＩ／Ｏインターフェース（Ｉ／Ｆ）２２１、ＦＡＸモジュールを接続するためのＦＡＸインターフェース（Ｉ／Ｆ）２２２、ＥＣＵ３００側が接続されるＥＣＵインターフェース（Ｉ／Ｆ）２１５、中央演算回路となるＣＰＵ２１６、記憶手段となるＲＯＭ（フラッシュＲＯＭ）２１７やＲＡＭ２１８、及びＲＴＣ（Ｒｅａｌ−Ｔｉｍｅ  Ｃｌｏｃｋ）２０４がそれぞれ接続されている。
【００３０】
ここでのＡＣＵ２００は、孔版印刷ユニット１００の製版／蓄積の制御等を行い、スキャナ１１０やネットワーク経由で転送されてくる文書を蓄積文書としてＨＤＤ２０７に蓄積したり、スキャナやＨＤＤ２０７に蓄積された蓄積文書又はネットワーク経由で転送された文書データから最終的に製版データを作成したのち、ＥＣＵ３００に転送するという働きを受け持ち、本発明での主要な機能を担う。
【００３１】
ＥＣＵ３００は、中央演算回路となるＣＰＵ３２１、記憶手段となるＲＡＭ３２２、並びにＲＯＭ（フラッシュＲＯＭ）３２３、ＡＣＵ２００が有するＥＣＵインターフェース（Ｉ／Ｆ）２１５と接続されるＡＣＵインターフェース（Ｉ／Ｆ）３２４、スキャナ１１０が接続されるスキャナインターフェース（Ｉ／Ｆ）３２６、画像の像域分離や各種画像補正を行うＩＰＰ（Ｉｍａｇｅ  Ｐｒｅ−Ｐｒｏｃｅｓｓｏｒ）３２５、プロッタ１０３が接続されるプロッタインターフェース（Ｉ／Ｆ）３２８、インクジェットユニット１５０が接続されるインクジェットインターフェース（Ｉ／Ｆ）１５１がそれぞれＡＳＩＣ３２９に接続されている。
【００３２】
ＥＣＵ３００は、ＡＣＵ２００により作成された製版データに基づいてプロッタ１０３で周知の孔版原紙となるマスタロール１１９に熱的プロセスによって穿孔を行うことにより製版済みのマスタ１０７を作成し、この製版済みのマスタ１０７を印刷ドラム１０１となる版胴の外周面に巻装し、印刷ドラム１０１内部に設置されたインキパック１２０からインキを供給しながら印刷ドラム１０１を回転させ、それに呼応させるように記録紙（印刷用紙）１０６を給紙することにより印刷成果物（印刷物）を得るという一連のデジタル式の孔版印刷ユニット１００の製版から印刷に至る動作全般を制御すると共に、ＡＣＵ２００により作成された画像データをインクジェットモジュールに送り込み、孔版方式による画像形成と呼応させながらインクジェット方式による画像形成を成すように制御するものである。
【００３３】
尚、上述したインクジェットユニット１５０は、主走査方向長の画像形成領域を１つのインクジェットヘッドでカバーできるヘッドが固定された所謂フルライン型ヘッドであっても、インクジェットヘッド長が主走査方向長よりも短く、インクジェットヘッドを主走査方向に走査して主走査方向の画像形成を行う所謂シャトル型ヘッドであっても、何れでも構わない。
【００３４】
以下は、実施例１に係る孔版印刷システム１（孔版印刷ユニット１００）のマイノート生成機能について説明する。但し、マイノート生成の際には、操作パネル１１１のタッチパネル１１５において、図４〜図７に示すようなマイノート生成機能に関する装置動作時の各種メニュー画面設定が予めなされているものとする。
【００３５】
例えば、図４に示す装置動作時のメニュー画面の第１の形態のメインメニューから「編集」項目を選択し、図５に示す装置動作時のメニュー画面の第２の形態のメインメニューから「マイノート生成」項目を順次選択すると、図６に示す装置動作時のメニュー画面の第３の形態に示されるようなマイノート生成機能を設定するためのサブメニューが表示される。
【００３６】
図６に示す場合には、「テンプレート」については「使用する」、「ページ番号」については「付与する」、「序列ＩＤ」については「使用する」等の各項目が設定されている。テンプレートは、文書フォーマット等のデータが蓄積文書として電子データの形で孔版印刷ユニット１００のＨＤＤ２０７内等に保存されているものであり、本機能に限らずユーザが適宜呼出して利用できるものである。「使用する」の仮想ボタンを選択すると、更に図示しないサブメニューが開かれ、ＨＤＤ２０７内に保存されているテンプレート画像等を閲覧したり、適宜選択したりすることができる。勿論、紙の形態で用意されたテンプレートであってもマイノート生成に先立つもので、スキャナ１１０の固定原稿台や自動原稿送り装置（ＡＤＦ：Ａｕｔｏ  Ｄｏｃｕｍｅｎｔ  Ｆｅｅｄｅｒ）等から直接読取るように、図示しないサブメニューから指定して利用することや、ＵＳＢメモリのような携帯用大容量記憶装置に電子ファイル化されているものを読み取ったり、ネットワークを介したサーバ等に保存されているもの等をダウンロードすること、或いはファイル共有（交換）アプリケーションを備えた孔版印刷ユニット１００同士で蓄積文書（機密文書を除く）を共有し合って利用する等の手法も可能である。何れにしても、ユーザにとっては、自前でテンプレートを用意する労力や必要性も少なくなっているが、これらについては技術的に重要な要件ではないので、詳しい説明は省略する。
【００３７】
因みに、本実施例１では、図９（ａ）に例示した最終的な印刷成果物の概略図に示されるように、点線で示すＣ領域がテンプレートに該当し、日付欄や署名捺印欄が入ったフリーフォーマットのものが選択／使用されたことを示している。
【００３８】
「ページ番号」項目についても同様であり、図示しないサブメニューにおいてページ番号の「書式」(例えば「−１−」,「−２−」,…、「Ｐ１」,「Ｐ２」,…)、「フォント」、「サイズ」、「付与位置」(例えば、「右上」、「中央下」)等の各種項目が設定される。
【００３９】
そもそもこのようなオプションが存在するのは、生成されたノートページの序列（整列の順番）は、後述する印刷された序列ＩＤマーカだけでは、人間の目で判別／判定することが不可能であるためである。ページ番号の付与なしでも、生成されたノートページのハンドリングを慎重に行い、どの順番でファイリングするか、或いは記帳するかが判らなくならないようにすれば、本来の差替え防止の機能を果たせるが、そこに至るまでのヒューマンエラーを防止することはできない。尚、差替え防止機能を必要としない単なる普通のマイノートを生成する場合、差替え防止機能オプション(序列ＩＤの付与)の選択は任意である。
【００４０】
因みに、自筆のページ番号をノートに記入することで、ノートページの原本性を保証するという考え方もあるが、基本的にヒューマンエラーを排除することはできず、また、改竄の当事者が原本作成者本人である場合には意味をなさなくなるので、実際には補完的に用いることが効果的と思慮される。そのため、本実施例でも図９(ａ)中の点線で示す領域Ｄに示すように、ページ番号を手書きで書込めるような欄を持ったテンプレートを選択している。或いは、そのようなことをせず、またどうしても見栄えやページ番号の二重付与の等を気にするのであれば、ページ番号の付与位置を図９(ａ)中の領域Ｄ部分に指定すればよい。本実施例では、「書式」として「−１−」,「−２−」,…、「位置」として「中央下」等が設定されており、最終印刷成果物としては、図９（ａ）中の点線で示す領域Ｂに示されるように具体化される。
【００４１】
「序列ＩＤ」項目は、差替え防止の機能を果たす中核をなすものであり、図７の装置動作時のメニュー画面の第４の形態に示されるようなサブメニューから指定される。基本的な考え方は、マイノート生成時にノート自体にページ毎又は枚葉毎に固有にしてマイノート内で序列可能な情報（序列ＩＤ）を付与し、更に別個に生成したマイノート間では、各対応するページに序列ＩＤの再現性（一致性）がないというような仕組みを入れ込めば良い。図７に示す例では、「序列ＩＤ種類」を「ＰＮ符号」、「序列ＩＤ付与形態」を「モールス符号化」、「序列ＩＤ付与頻度」を「ページ毎」、「序列ＩＤ付与位置」を「外枠:下」としている。
【００４２】
図８は、実施例１の孔版印刷システム１に備えられる孔版印刷ユニット１００で扱うＰＮ符号を説明するための図である。
【００４３】
まず、「序列ＩＤ種類」を「ＰＮ符号」とする場合を説明する。ＰＮ（Ｐｓｅｕｄｏｒａｎｄｏｍ  Ｎｏｉｓｅ）とは、疑似乱数符号や拡散符号等とも呼ばれ、ｎ個の２進数のビット列を与えて作る周期性を持つ２のｎ乗−１のビット列である。図８を参照すれば、ＰＮ符号のうち、最長符号系列（ｍ系列：ｍａｘｉｍａｌ  ｓｅｑｕｅｎｃｅ）のＰＮ符号の生成方法を示したものである。ｍ系列は、シフトレジスタｎ段と遅延素子により生成することができる符号系列の中で最長で２のｎ乗−１のビット列を成すものである。そして、この生成したビット列からｋ個以上の連続したビットを選ぶと、ビット列上でユニークな値になる。
【００４４】
図８では、説明を簡略化するため、ｎ＝６の場合について示している。この場合、６段のシフトレジスタＤ１〜Ｄ６を用い、最初にシフトレジスタＤ１〜Ｄ６の全部を１に設定しておく。次に、シフトレジスタＤ２、Ｄ３、Ｄ５、Ｄ６の排他的論理和をとり、シフトレジスタＤ１に戻して帰還させ、同時に、全体を１ビット右にシフトさせる。そして、シフトレジスタＤ６から出てきたデータをビット列データとみなし、これを６３回繰り返すと２の６乗−１＝６３ビットの周期的な符号ビット列を得ることが出来る。
【００４５】
この例ではｋ＝６なので、例えば８ビットのビット列を抽出（サンプリング）すると、抽出されたビット列（例えば図８中の抽出されたビット列Ａ１１１００１０１）と同じビット列は、ＰＮ符号ビット列の一周期中には存在しない（図８中の抽出されたビット列Ｂ１００１０１０１、抽出されたビット列Ｃ１１１０００００についても同じ）。即ち、抽出されたビット列Ａ、Ｂ、Ｃは、ＰＮ符号ビット列上でユニークな値として一意に定まることになる。
【００４６】
本発明では、このようなＰＮ符号ビット列Ａ、Ｂ、Ｃを序列ＩＤとして採用しているが、後述するように、実施例１では抽出されたビット列をさらに１６進数化するため、抽出するビット数を区切りのよい８ビットにしている。
【００４７】
尚、ノートページに付与する序列ＩＤのために、ＰＮ符号ビット列からサンプリングする間隔は、１ビットずらしたり、２ビットずつか、或いはそれ以上ずらして行っても良いが、何れにせよノートページの抜差しがなされないかぎり、ＰＮ符号ビット列上における位置関係が前後することはない。逆に、位置関係の逆転や不自然なサンプリング間隔の飛びが検出された場合、差替えが発生した可能性が高いとして検出することができる。
【００４８】
また、マイノートを作る都度、いつも同じ符号位置（シフトレジスタの状態）から開始して序列ＩＤとして付与したのでは、マイノート間の各対応する同一のべージには同一の序列ＩＤが付与されることになってしまい、差替え用のノートページを容易に生成できてしまう。このため、最新（直近）に付与したＰＮ符号上の位置を記録・保持しておき、次のマイノート生成時には、次の位置から付与する等の工夫を凝らすことが好ましい。
【００４９】
更に、ｎの値は、基本的にはどのような値を用いても良いが、余りに小さ過ぎると、同一の序列ＩＤが頻繁に現れるので、その分差替え防止効果が薄くなってしまう。こうした事情により、ｎの値は或る程度の大きさ（繰返し周期の長いもの）を持ったものの採用が望ましい。
【００５０】
一方、このようにして得られた序列ＩＤコードをどのような形でマーカ（序列ＩＤマーカ）として付与するかというのが、「序列ＩＤ付与形態」項目である。実施例１では、「モール符号化」、且つ「外枠線:下」としており、即ち、マイノートページの外枠線の下側の直線をただの直線ではなく、序列ＩＤを含んだモールス符号化形態の直線として形成するよう指定している。これにより、従来の付与形態であるバーコードやＱＲコードと異なり、秘匿性が幾分改善されたものとなっている。
【００５１】
ところで、ノートページに序列ＩＤを付与する場合、基本的には枚葉毎で十分である。即ち、所謂ノート改竄時の「ページの差替え」の意味するところは、「枚葉の差替え」であるため、枚葉毎に１つの序列ＩＤがあれば良い。これは印刷成果物の生産性の面から望まれる指定である。
【００５２】
しかしながら、実施例１では「序列ＩＤ付与頻度」として「ページ毎」を指定しており、これによって序列ＩＤは表面と裏面との２個が付与される。序列ＩＤマーカの形成は、その性質上、インクジェットユニット１５０のようなバリアブル印刷が可能な画像形成ユニットに割り当てられるが、これは印刷ドラムユニットによる画像形成に比べて画像の形成速度が遅いため、多くの場合、前者が律速となる。よって、序列ＩＤの付与が「ページ毎」であれば、表面／裏面に序列ＩＤマーカを形成しなければならず、結果から言えば、更に生産性が落ちることになる。
【００５３】
ところが、ページを差替えるためには、２つの序列ＩＤに対して改竄を試みなければならないため、証拠性が高まると共に改竄者に対する改竄抑制効果も期待できるので、実施例１では「ページ毎」を指定している。これは生成するマイノートにおける証拠性の重要度（要求度）に対し、或る程度の幅を持たせた対応ができることを意味する。
【００５４】
図９は、実施例１の孔版印刷システム１のマイノート生成機能による序列ＩＤマーカモールス符号化処理を説明するための図であり、同図（ａ）は最終的な印刷成果物を例示した概略図、同図（ｂ）は序列ＩＤから中間コード（１６進数）に変換した後にモールス符号に変換する流れを示した模式図である。
【００５５】
図９（ａ）の印刷成果物についての点線で示す領域Ａ、Ｂ、Ｃ、Ｄは上述した通りである。図９（ｂ）では、序列ＩＤからモールス符号化への付与形態への変換の仕組みについて説明したものである。例えば図８における８ビットの抽出ビット列Ａ１１１００１０１は、まず４ビット毎に区切られる。これらをさらに１６進数に変換すると、各々″Ｅ″,″５″となる。これらの１６進数に変換されたものを更にモールス符号の符号表示に変換すると、各々″-  ″（１０００）,″-  -  -  -  -″（１０１０１０１０１０００）となる。但し、ここでは短点(ドット)を「１０」、長点（ダッシュ）を「１１１０」、空白(スペース)を「００」としている。
【００５６】
これを画像データに変換するには、例えば「１」を黒、「０」を白として置換すれば良い。但し、実際の画像として形成する際には、「１」（黒）又は「０」（白）を幾つの画素で形成するかを考慮しなければならない。最も単純なのは、「１」（黒）又は「０」（白）を画像形成デバイスの１画素で対応させるものであるが、これは画像形成ユニットの解像度や読取りユニットの解像度にも依存するため、一概に規定できるものではないが、基本的に設計事項に帰着する事項であり、さして重要な要件ではない。
【００５７】
また、序列ＩＤをモールス符号化の形態（序列ＩＤマーカ）として付与する際、序列ＩＤのみだけではなく、さらに種々の情報（コード）が追加されて付与される。例えば付与形態のデータ列の先頭には、短点とスペースの画像データとしての長さを規定すると共に、以下に続くデータがモールス符号化の序列ＩＤであることを示すリファレンスブロックが置かれる。当然のことながらモールス符号の″５″と混同されないように、６つ以上の″１０″の繰り返しが付与されることになる。これは、モールス符号としては無効なコードであるため、意味あるものとして誤って解析されることはない。
【００５８】
リファレンスブロックに引き続き、連続した空白″００″が続くスペースブロックが配置される。これはリファレンスブロックの終了の区切りを意味すると共に、この後に続くデータブロック（序列ＩＤ）の開始の区切りを意味し、さらに両ブロックのバッファの役割も担うものである。
【００５９】
更に続く、データブロックは、正味の情報（データ）を成す序列ＩＤであり、前述した序列データが埋め込まれている。データブロックの後は、再びスペースブロックが配置される。このようにして、いわばデータフレームのようなものが形成される。
【００６０】
これ以後は、原則としてデータとしての意味を持たないので、文字通りに″１″が続く直線、即ち、外観的には、通常の外枠線又は罫線として画像形成される。しかし、冗長性を持たせるため、再度、リファレンスブロックからの繰り返し、又はデータブロック＋スペースブロックの繰り返しとして実装されても良いので、実施例１に限定されるものではない。
【００６１】
図１１は、実施例１の孔版印刷システム１の動作処理を示したフローチャートである。図１１では、上述した設定や準備がなされた孔版印刷システム１におけるマイノート生成機能の制御動作を示している。尚、孔版印刷ユニット１００とインクジェットユニット１５０とによる最終的な印刷成果物生成のための領域の割付け指定等が必要であるが、これらの指定は、孔版印刷ユニット１００及びインクジェットユニット１５０で構築されるマイノート生成機能（マイノート生成手段）を有効化した時点で、テンプレート等の共通描画要素（固定描画要素）の画像形成は孔版印刷ユニット１００により、ページ番号や序列ＩＤマーカ等の変動描画要素（バリアブル描画要素）の画像形成はインクジェットユニット１５０により、それぞれ自動的に定まるため（各部の制御部で適当に振り分けられるため）、ユーザが特に指定する必要はない。
【００６２】
因みに、背景画像等をランダム又はサイクリックに変えるようなマイノート生成の仕方もあるが、ここではそのような趣向を凝らしたものは特に重要な要件ではないので考慮しないものとしている。
【００６３】
図１１を参照すれば、孔版印刷システム１の動作処理では、まず、図９（ａ）に示されるような証拠性（原本性）が要求される開発者・研究者用のマイノートの生成を想定し、操作者が製版のスタートキー押下（ステップＳ１０１）を行うと、制御部がマイノート生成機能の有効／無効設定の確認（ステップＳ１０２）を行う。この確認判定（ステップＳ１０３）の結果、無効設定であれば通常の製版印刷モードで動作するが、有効設定であればマイノート生成機能実行のための指定パラメータの取得（ステップＳ１０４）を行う。
【００６４】
ここでのパラメータ取得判定（ステップＳ１０５）の結果の一形態として、仮にマイノート生成でテンプレートを使用する旨の指定がなされていないテンプレート不使用であれば確認表示用画像データの生成（ステップＳ１１２）に移行するが、テンプレートを使用する旨の指定がなされている場合であって、電子テンプレート使用であればＨＤＤ２０７、ＵＳＢメモリ２０３、ＳＤカード２０１等の携帯型大容量記憶装置から指定されたテンプレートデータの読取り（ステップＳ１０６）を行ってから確認表示用画像データの生成（ステップＳ１１２）に移行し、紙テンプレート使用であればスキャナ１１０の固定原稿台又はＡＤＦにセットされた原稿(紙原稿テンプレート)を読取るスキャナ原稿もしくはＡＤＦ原稿の読取り（ステップＳ１０７）を行ってから確認表示用画像データの生成（ステップＳ１１２）に移行する。
【００６５】
また、パラメータ取得判定（ステップＳ１０８）の結果の他形態として、仮に序列ＩＤを付与する旨の指定がなされていない序列ＩＤを付与しない場合であれば確認表示用画像データの生成（ステップＳ１１２）に移行するが、序列ＩＤを付与する旨の指定がなされている序列ＩＤを付与する場合であれば指定されたパラメータに則った序列ＩＤの生成と後述する確認表示用のためのダミーの序列ＩＤの生成（ステップＳ１０９）を行い、更に生成した序列ＩＤを指定された序列ＩＤ付与形態（モールス符号化形態）への変換（ステップＳ１１０）を行った後、付与形態に変換された序列ＩＤを画像データへの変換（ステップＳ１１１）を行うようにしてから確認表示用画像データの生成（ステップＳ１１２）に移行する。尚、実施例１では、ページ番号の付与が指定されているが、これらのデータの画像データへの変換は自明であるので説明を省略する。
【００６６】
次に、この時点において、画像形成のための画像データが出揃うので、制御動作上では、確認表示用画像データの生成（ステップＳ１１２）が行われた後、最終印刷成果物（電子ペーパ４００）の仕上がり予想イメージ表示（ステップＳ１１３）を行う。
【００６７】
図１０は、孔版印刷ユニット１００の動作時に外装型の電子ペーパ４００に表示される処理イメージの表示例を示した図である。この電子ペーパ４００は、孔版印刷ユニット１００のフロントカバーの表面に据え付けられた外装タイプのもので、印刷用紙１枚の片面分が画面４００Ａに表示されている。また、この表示の際、序列ＩＤマーカ部分は実際の最終印刷成果物に付与されるものとは異なるダミーの序列ＩＤが表示される。これは、デジタルカメラやデジタルカメラ付き携帯電話等により表示された序列ＩＤマーカを撮影し、差替え用のデータとして利用されることを抑止するためである。従って、図９（ａ）中の領域Ａの部分と図１０中の画面４００Ａの領域Ａの部分とは異なったものとなっている。尚、表示の際に、序列ＩＤ部分を非表示とするようにしても良いが、そうした場合には序列ＩＤ指定がなされなかったものとユーザが誤認する恐れがあるため、実施例１ではそのような仕組みにはしていない。因みに、画面４００Ｂは、タッチパネル１１５の表示を補助するメッセージ表示用のディスプレイとして機能／動作させるためのものである。
【００６８】
また、この表示確認用となる電子ペーパ４００にペン入力＆編集機能があった場合、例えば表示されたノートページに対して、手書き文字・イラスト、貼付けオブジェクト等を更に付加したい場合には、それを孔版印刷ユニット１００に反映（フィードバック）して取り込めるようにしても良い。更に、実施例１では、孔版印刷ユニット１００のインターフェースが電子ペーパ４００をサポートしているため、機器表示を行うようにしているが、大画面サイズのタブレット型端末やスレート型端末等に表示したり、或いは超短焦点の小型プロジェクタと簡易スクリーンとを備えた孔版印刷システム１であれば、それに投影するようにしても構わない。
【００６９】
このようにして、ユーザによる画像確認がユーザ良否入力（ステップＳ１１４）処理で行われると、画像確認判定（ステップＳ１１５）の結果、ＮＧであれば通常の製版印刷モードで動作するが、ＯＫであれば制御動作上では孔版印刷ユニット１００用の画像データの生成（ステップＳ１１６）を行ってから孔版印刷ユニット１００により製版・印刷（ステップＳ１１７）の処理を行ってから動作処理を終了すると共に、インクジェットユニット１５０用の画像データを生成（ステップＳ１１８）を行ってからインクジェットユニット１５０による印刷（ステップＳ１１９）の処理を行ってから動作処理を終了する。このようにして、マイノート（ページ）が生成される。
【００７０】
以上に説明した実施例１に係る孔版印刷システム１によれば、孔版印刷ユニット１００及びインクジェットユニット１５０で構築されるマイノート生成機能によって、序列ＩＤの生成画像としての形成形態である序列ＩＤマーカを序列ＩＤのコードに対応する点（ドット）と線（ダッシュ）とから成るモールス符号化形態としているので、ノートページの証拠性（原本性）を有しつつもユーザの作業性や集中力を妨げず、デザイン上の美観を損なうことなく、マイノートページを生成できる。また、序列ＩＤの鑑定において、特別の器具や装置を必要としないマイノートページを生成することができる。更に、マイノート生成機能により、序列ＩＤマーカについて、序列ＩＤのコードにそのまま直接対応するモールス符号の存在しなければ、必要に応じて序列ＩＤのコードとモールス符号とを対比させて変換できるように、別の中間コードに変換する仕組みを経て最終的にモールス符号化形態とすることができるため、序列ＩＤの付与形態としてモールス符号化形態を採用したことで付与する序列ＩＤの自由度や柔軟性が損なわれることがない。
【００７１】
因みに、実施例１に係る孔版印刷システム１の技術的概要は、孔版印刷ユニット１００とインクジェットユニット１５０とを備えて構成されるハイブリッド型の孔版印刷システム１用マイノート生成方法として換言することができる。この場合のマイノート生成方法の技術的特徴は、孔版印刷ユニット１００及びインクジェットユニット１５０で構築されるマイノート生成手段（マイノート生成機能）により、生成する一連のマイノートページの序列を一意に決定できる序列識別子の生成画像としての形成形態である序列識別子マーカを、序列識別子のコードに対応する点と線とから成るモールス符号化形態とする序列識別子マーカモールス符号化処理ステップを有するものとなる。
【実施例２】
【００７２】
図１２は、本発明の実施例２に係る孔版印刷システム１のマイノート生成機能による序列ＩＤマーカモールス符号化処理を説明するための図であり、同図（ａ）は最終的な印刷成果物を例示した概略図、同図（ｂ）は序列ＩＤから直接モールス符号に変換する流れを示した模式図である。尚、実施例２に係る孔版印刷システム１では、以下の他の実施例についても同様とするが、実施例１に係る孔版印刷システム１と共通する部分は同一符号を付して説明を省略し、相違する箇所について説明する。
【００７３】
実施例１の孔版印刷システム１では、ノートページに付与された序列ＩＤを１６進数という中間コードに一旦変換し、その変換されたコードを更にモールス符号化する方式を採用していたが、実施例２では、図１２（ｂ）に示すように、ノートページに付与された序列ＩＤを、そのままモールス符号化する方式を採用している。そもそも、実施例２で適用しているＰＮ符号は「１」と「０」とのビット列であるため、そのまま対応するモールス符号を、″-  ---  ---  ---  ---  ″（１０１１１０１１１０１１１０１１１０００）,″---  ---  ---  ---  ---  ″（１１１０１１１０１１１０１１１０１１１０００）として直接変換することが可能である。但し、上述のように「１」と「０」とのコード長としては長いので、結果として序列ＩＤマーカが占有する面積〈長さ〉は、１６進化する方式と比べて大きくなる〈長くなる〉傾向がある。
【００７４】
このため、序列ＩＤからモールス符号化形態への変換方式をシステムで固定する場合、何れの方式を採用するか、或いは自動選択により方式を切り替える場合、どのような場合に何れを採用するかは、システムの設計者の設計思想に依存する。
【００７５】
当然のことながら、選択のためのメニューを用意して、ユーザの判断に選択を任せても良いが、ユーザに方式の中身を直接説明するようなメニューをガイド付きで提供したとしても、正しく理解して貰えるか、或いは適切に使い分けて貰える可能性は高いとは言い難いため、単に「方式Ａ」,「方式Ｂ」等として単純化しても良い。尚、これまでに説明した実施例１や実施例２では、序列ＩＤデータの冗長部分がなく、データブロックを繰り返して形成する程度の冗長構成を言及するに留めていたが、基本的にエラー検出／エラー訂正機能が付加されていないため、ゴミの付着や序列ＩＤマーカ形成時の画像品質又は序列ＩＤマーカ読取り時の読取り品質により、やはり正しく序列ＩＤを抽出できない場合が考えられる。
【００７６】
このような場合に備え、序列ＩＤが格納されているデータブロックに対するエラー検出ブロックを更に付加するようなデータフレームのフォーマット構成にしても良く、実施例２の形態に限定されるものではない。このときに採用するエラー検出／エラー訂正機能としては、パリティチェックのような単純なものからハミング符号等のよく知られた周知技術であって良い。
【００７７】
実施例２に係る孔版印刷システム１は、序列識別子マーカが序列ＩＤのコードにそのまま直接対応するモールス符号に変換されたものであるため、ノートページの証拠性（原本性）を有しつつも、ユーザの作業性や集中力を妨げず、しかもデザイン上の美観を損なうことのない仕組みを提供できると共に、序列ＩＤの付与形態について、より多くの選択肢を提供することができる。
【実施例３】
【００７８】
図１３は、本発明の実施例３に係る孔版印刷システム１のマイノート生成機能による序列ＩＤマーカモールス符号化処理を説明するための図であり、（ａ）は最終的な印刷成果物を例示した概略図、（ｂ）は補助ＩＤからモールス符号に変換する流れを示す模式図である。
【００７９】
実施例３に係る孔版印刷システム１では、マイノート生成機能により、マイノート生成者個人についての認証情報、マイノート生成を行った画像形成装置の装置情報、画像形成に使用したインキ組成成分又は組成を示す符号情報を補助ＩＤとして上記序列ＩＤと共に何れもモールス符号化形態で付与した例を示す。但し、ここでは縦又は横の罫線、或いは外枠線の何れかにおける序列ＩＤマーカとは異なる部分に形成される。
【００８０】
具体的には、図１３（ａ）に示すように、補助ＩＤを図１３（ａ）中の外枠上部の点線で示す領域Ｅの部分にモールス符号化形態で形成している。尚、モールス仕様に形成されたデータの中身を区別するため、図１３（ｂ）を参照すれば。実施例３では「ＳＩ」という符号をデータの冒頭にもってきており、補助ＩＤであることを示している。
【００８１】
このような補助ＩＤを加えることにより、よりノートページ差替えの検出精度を高めることができる。なぜなら、例えばマイノートを生成した方法を真似てそのままマイノート（ページ）の複製を作ろうとしても、序列ＩＤは異なるものを付与される（同一の序列ＩＤを付与される確率は非常に低い）ので、差替えの検出が可能である。のみならず、補助ＩＤに、ノートページの序列ＩＤマーカの形成に使用した画像形成装置のシリアル番号やインキの組成符号等の情報が含まれているので、同一の装置、同一のインキでない限り一致することはない。更に、経年により画像形成装置の破棄や置き換え、インキ組成の改善／変更等による要因が加わるため、一層補助ＩＤを一致させることは難しくなる。従って、差替え用の複製を生成するために序列ＩＤ、補助ＩＤの全てを一致させることは極度に困難となり、そのためのコストが膨大なものとなるため、結果として差替え抑止の効果を持つことになる。
【００８２】
尚、序列ＩＤマーカと補助ＩＤマーカとを別々の形態によって付与することも考えられなくはないが、それに見合うようなメリットが余り見出せないため、実施例３では採用していない。
【００８３】
実施例３の孔版印刷システム１によれば、補助ＩＤを序列ＩＤマーカとは異なる部分に補完的に併用して運用しているため、デザイン上の美観を損なうことなく、且つ一層差替え検出の精度を高めることができる。
【実施例４】
【００８４】
図１４は、本発明の実施例４に係る孔版印刷システム１の基本構成を一部データ処理の流れを含めて示したブロック図である。
【００８５】
実施例４に係る孔版印刷システム１は、実施例１の構成と比べ、罫線除去モードに対応した読取りモード切換手段７（スキャナ１１０の機能に対応する）を備え、スキャナ１１０で読取りモートが切替えられる点が相違する。
【００８６】
図１５は、実施例４の孔版印刷システム１に備えられる孔版印刷ユニット１００の動作時に外装型の電子ペーパ４００に表示される処理イメージの表示例を示した図である。この電子ペーパ４００では、実施例４で生成する最終印刷成果物であるマイノート（ページ）の仕上がり予想を画面４００Ａに表示した様子を示しており、ここではデザインやイラストの描画等で汎用的に利用される縦横の罫線が入ったテンプレートをベースにその外枠の左側に序列ＩＤを付加したものを生成している。この際、画面４００Ａに示されるように外枠の左側、即ち、序列ＩＤマーカ（モールス符号化形態の序列ＩＤ）と横の罫線との干渉を防ぐため、序列ＩＤマーカと横の罫線との間には、幾分かのスペース（空隙）が開いている。
【００８７】
また、マイノート生成時には、孔版印刷システム１のスキャナ特性に適合させたインキによって画像形成を行っている。より具体的には、実施例４では、罫線とモールス符号化形態の序列ＩＤがスキャナ１１０の青（ｂｌｕｅ）光源の照射により実質的に見えなくなるような特性のインキによって形成されている。
【００８８】
図１６は、実施例４の孔版印刷システム１のマイノート生成機能による序列ＩＤマーカモールス符号化処理に対する付加処理を説明するための図であり、同図（ａ）は罫線消去モードに対応させたマイノートページに描画されたデザインを例示した概略図、同図（ｂ）は同図（ａ）のマイノートページを罫線消去モードで複製させたときの結果を例示した概略図である。
【００８９】
一般に、デザインやイラストの作成時には、図１６（ａ）に示されるように罫線を補助線として参照しながら描画することが多いが、出来上がった作品に対して通常のコピー（複製）を行うと、本来背景の筈の罫線が強調されて目立ち、逆に作品が非常に見難くなることがある。
【００９０】
このため、マイノート生成時に罫線除去モード対応のインキで画像を形成し、コピーの際に罫線除去モードで複製を行うと、インキで形成した部分が消去される所謂罫線消去モードに対応させている。その際、序列ＩＤも対応したインキで形成されているため、図１６（ｂ）に示されるように罫線除去モードを有効にしたコピー時には消去される。
【００９１】
尚、罫線除去モードと命名されてはいるが、これは罫線のみに適用されるというわけではなく、単にその効果を１番判り易くユーザに理解して貰うための最も適したネーミングであり、罫線除去モードに対応したインキで画像形成されたものは、罫線に限らず除去される。また、実施例４では、スキャナ１１０の青光源に対応したインキを使用しているが、例えば赤（ｒｅｄ）光源や緑（ｇｒｅｅｎ）光源、或いはその他の適当な光源に適合させたインキであっても良いので、実施例４の形態に限定されない。
【００９２】
とはいえ、実際のデザインやイラストの生成時に例えば赤インキで形成された罫線では、目がちらついたり、集中し難い等の不具合が生じたりすることが多いため、実施例４では比較的作業の邪魔にならない青インキによる画像形成を例示している。
【００９３】
尚、コピー（複製）の際に、せっかく付与した序列ＩＤが消去されるのでは、意味がないのではと解釈されることも想定されるが、そもそもそのようなマイノートページのコピーは証拠性（原本性）を失っているので、偽物であることは証明できても、本物であることの証明はできないので、何ら問題はない。また、作業時の集中力に関しては、上述したような視覚的なものだけでなく、聴覚的なものも考慮されなければならない。静音性に関して、孔版印刷システム１は、従来からかなり改善されたとはいえ、オフィス内で最高性能（最大印刷速度）で使用するには、まだまだ許容限度の範囲にあるとは言い難いレベルにある。特に、デザイン部門のような創造性を要求される部門では、このような孔版印刷システム１の動作音によりデザイナの集中力を切らさせるような事態は、極力避けられなければならない。このため、孔版印刷システム１の設置場所（病院／図書館、オフィス、印刷室等）のカテゴリ別によって、印刷速度の上限を制限したり、ファンの回転数やエアナイフの吹き出し量を低減したり、警告音ではなく表示デバイスによる警告表示やＬＥＤ光源等による点滅で異常や動作完了を知らせたりする等の静音対策のレベルを指定する所謂強制静音モードと言われるものが存在する。
【００９４】
実施例４の孔版印刷システム１によれば、画像として生成される序列ＩＤについて、マイノートページを複写する際、罫線の序列ＩＤを含む罫線が除去される罫線除去モードに対応した画像形成が行われるようにしているため、ノートページの証拠性（原本性）を有しつつも、ユーザの作業性や集中力を妨げず、しかもデザイン上の美観を損なうことのない仕組みを提供することができると共に、ノートページの複製に際してはデザイン上の美観を優先した複製という要求にも対応することができる。また、マイノートページを複写する際、序列ＩＤマーカについて、罫線の序列ＩＤ又は補助ＩＤを含む罫線／外枠線に対して特定のダミーコードにリプレースするか、実線の罫線／外枠線でリプレースするか、或いは罫線の部分を抹消するかの何れかによる画像形成が行われるようにすると、複製の基となるノートページには証拠性（原本性）を有しつつも、複製されたノートページについては証拠性（原本性）を喪失させることができると共に、ノートページの安易な複製及び複製を基にした差替えを抑制することができる。
【実施例５】
【００９５】
図１７は、本発明の実施例５に係る孔版印刷システム１に備えられる孔版印刷ユニット１００の動作時にタッチパネル１１５に表示されるメニュー画面を例示した図である。
【００９６】
実施例５に係る孔版印刷システム１では、図１７に示されるようなタッチパネル１１５のサブメニュー例として、「序列ＩＤ付与頻度」を「枚葉毎：表面」、「序列ＩＤ付与位置」を「外枠:左綴じ側」に設定している。それぞれの項目の指定の意味は、前者においては、序列ＩＤが毎葉毎に付与されるため、印刷用紙１枚につき序列ＩＤが１個付与されることになり、このときの序列ＩＤマーカの形成は、表（おもて）面になされる。後者においては、外枠に付与されるのは、従来の場合と同様であるが、実施例５では綴じを意識したものになっており、マイノートを左綴じにした時の外枠の綴じ側に序列ＩＤマーカが形成されることになる。よって、序列ＩＤマーカは、表面では左側、裏面では右側の外枠線に形成されることになる。
【００９７】
しかしながら、実施例５では前述したように、表面のみに付与する指定なので、裏面の外枠線の右側には形成されることはない。このため、裏面の外枠線の右側は、通常の実線が形成されることになる。マイノートのような最終印刷成果物を生成する場合、通常画像の変化しない固定印刷部分は、孔版印刷ユニット１００で画像の変化する所謂バリアブル印刷部分をインクジェットユニット１５０に割り当てることが多い。原理的には、全てインクジェットユニット１５０で画像形成することも可能であるが、実施例５では生産性の面から採用していない。
【００９８】
図１８は、実施例５に係る孔版印刷システム１の孔版印刷ユニット１００の印刷ドラム１０１に形成される潜像を例示した図である。
【００９９】
図１８を参照すれば、実施例５では、序列ＩＤを枚葉毎に付与することによって図１８中の製版領域Ａ、Ｂに示されるように、実線化する部分の画像形成を孔版印刷ユニット１００の印刷ドラム１０１における製版・巻装済みマスタ１０７上に割り当てている。尚、ここでの実線化する部分の画像形成は製版領域Ａ、Ｂの何れもＡ４サイズに該当し、製版領域Ａにおける右側の縦線に係る点線で示す領域Ａ′と製版領域Ｂにおける左側の縦線に係る点線で示す領域Ａとに序列ＩＤが付与される。
【０１００】
実施例５に係る孔版印刷システム１では、画像形成時の律速となるインクジェットユニット１５０の作画領域が減少することになるので、最終印刷成果物の生産性の向上に寄与することができる。これは、生成するノートページ数が多くなる程、一層効果的になる。
【実施例６】
【０１０１】
図１９は、本発明の実施例６に係る孔版印刷システム１のマイノート生成機能における序列ＩＤマーカモールス符号化処理による最終的な印刷成果物を例示した概略図である。
【０１０２】
実施例６に係る孔版印刷システム１は、上述した実施例１〜実施例５に係る孔版印刷システム１の場合、マイノートのテンプレート画像にモールス符号化形態の序列ＩＤを入れ込めるような外枠や罫線が存在したが、常にそのようなテンプレートを利用するとは限らない場合を配慮したものである。逆に言えば、上述した形態を実施するためには、そのようなテンプレートに限定するという手法もあるが、そうした場合にはマイノート生成の自由度が相当に阻害されてしまう。
【０１０３】
また、図１９中の点線で示す領域Ｃ部分（領域Ｃ内には署名印、ページを表記する点線で示す領域Ｂ、Ｄも存在する）のように、テンプレートの一部に直線を含む部分が或る程度存在するという場合もあり、このような場合、テンプレートの直線部分を検出し、その検出部分を序列ＩＤマーカ（モールス符号化形態の序列ＩＤ）で置き換えるという手法も考えられるが、常に序列ＩＤマーカを入れ込むだけの長さが確保できるという保証があるわけではない理由、相対的にテンプレートに対する序列ＩＤマーカの占める画像の割合が多くなり、結果として序列ＩＤマーカの存在を際立たせるというような逆効果を示す理由により、実施例６では採用しない。
【０１０４】
実施例６では、これらのようなテンプレートに対しては、図１９に示されるように外枠の一部、ここでは点線で示す領域Ａのノートの綴じ代側に黄色又は淡黄のインキで、モールス符号化形態の序列ＩＤを付与している。このようなインキを使用することで、全く不可視という効果を期待できるわけではないが、序列ＩＤの付与に関して或る程度の露出を抑えることができる。更に、序列ＩＤの付与部分を綴じ代側に配置することにより、ノートページを綴じた状態では、余り存在を意識させないようにしている。
【０１０５】
実施例６に係る孔版印刷システム１は、序列ＩＤマーカの外枠線への形成箇所については、マイノートページの綴じ代側の縦の外枠部分にのみ形成されるため、ユーザの作業性や集中力を妨げず、しかもデザイン上の美観を損なうことのない仕組みを提供することができる。
【０１０６】
以上、各実施例に係る孔版印刷システム１で説明したように、孔版印刷ユニット１００及びインクジェットユニット１５０で構築されるマイノート生成機能は、各ユニット側での細部構成や細部機能の変更に伴い、細部の機能を種々変更できるため、本発明は各実施例で開示した形態に限定されない。
【符号の説明】
【０１０７】
１  孔版印刷システム
２  マイノート生成機能指定手段
３  共通描画要素印刷手段
４  序列ＩＤ生成手段
５  序列ＩＤ不可読変換手段
６  序列ＩＤ印刷手段
７  読取りモード切換手段
８  序列ＩＤ鑑定手段
９  制御手段
２０  制御部
１００  孔版印刷ユニット
１０１  印刷ドラム
１０２  プレスローラ
１０３  製版部（プロッタ）
１０４  排版部
１０５  給紙手段
１０６  記録紙
１０７  製版・巻装済みマスタ
１０８  搬送手段
１０９  排紙手段
１１０  スキャナ（画像読取り部）
１１１  操作部（操作パネル）
１１２  テンキー
１１３  印刷／製版切替えキー
１１４  スタートキー
１１５  タッチパネル
１１６  初期設定／プリンタ設定キー
１１７  印刷位置調整キー
１１８  プリントスピード設定キー
１１９  マスタロール（感熱孔版フィルム）
１２０  インキパック（インキ供給手段）
１２１  切替え部材
１２２  再給紙手段
１５０  インクジェットユニット
１５１  インクジェットインターフェース
２００  ＡＣＵ
２０１  ＳＤカード
２０２  ＮＩＣ
２０３  ＵＳＢメモリ
２０４  ＲＴＣ（Ｒｅａｌ−Ｔｉｍｅ  Ｃｌｏｃｋ）
２０５  操作パネルインターフェース（Ｉ／Ｆ）
２０６  ＳＤカードインターフェース（Ｉ／Ｆ）
２０７  ＨＤＤ
２０８  ＨＤＤインターフェース（Ｉ／Ｆ）
２０９Ａ、２０９Ｂ  ＵＳＢインターフェース（Ｉ／Ｆ）
２１２  ＮＩＣインターフェース（Ｉ／Ｆ）
２１３  無線ＬＡＮカード
２１４  無線ＬＡＮインターフェース（Ｉ／Ｆ）
２１５  ＥＣＵインターフェース（Ｉ／Ｆ）
２１６、３２１  ＣＰＵ
２１７、３２３  ＲＯＭ（フラッシュＲＯＭ）
２１８、３２２  ＲＡＭ
２２０、３２９  ＡＳＩＣ
２２１  Ｉ／Ｏインターフェース（Ｉ／Ｆ）
２２２  ＦＡＸインターフェース（Ｉ／Ｆ）
３００  ＥＣＵ
３２４  ＡＣＵインターフェース（Ｉ／Ｆ）
３２５  ＩＰＰ（Ｉｍａｇｅ  Ｐｒｅ−Ｐｒｏｃｅｓｓｏｒ）
３２６  スキャナインターフェース（Ｉ／Ｆ）
３２８  プロッタインターフェース（Ｉ／Ｆ）
４００  電子ペーパ
４００Ａ、４００Ｂ  画面
【先行技術文献】
【特許文献】
【０１０８】
【特許文献１】特開２０１３−２０８８０３号公報
【図１】
2015174308.tif 000003
【図２】
2015174308.tif 000004
【図３】
2015174308.tif 000005
【図４】
2015174308.tif 000006
【図５】
2015174308.tif 000007
【図６】
2015174308.tif 000008
【図７】
2015174308.tif 000009
【図８】
2015174308.tif 000010
【図９】
2015174308.tif 000011
【図１０】
2015174308.tif 000012
【図１１】
2015174308.tif 000013
【図１２】
2015174308.tif 000014
【図１３】
2015174308.tif 000015
【図１４】
2015174308.tif 000016
【図１５】
2015174308.tif 000017
【図１６】
2015174308.tif 000018
【図１７】
2015174308.tif 000019
【図１８】
2015174308.tif 000020
【図１９】
2015174308.tif 000021